(57)【要約】【課題】特別な機器を必要とせずに、ロープの異常箇所を容易に確認する。【解決手段】一実施形態に係るエレベータのロープ診断システムは、エレベータ制御装置２０と、このエレベータ制御装置２０とは独立して設けられるロープ診断装置３０とを備える。エレベータ制御装置２０は、乗りかごの運転中にロープ診断装置３０から出力される信号を入力する信号入力部２１と、乗りかごの位置を検出するかご位置検出部２２と、信号入力部２１を通じてロープ診断装置３０から異常信号を入力したときに、かご位置検出部２２によって検出された乗りかごの位置を異常検出位置として取得する異常確認位置取得部２３と、異常確認位置取得部２３によって得られた異常検出位置を記憶する診断結果記憶部２５とを具備する。【選択図】      図２
2017202905.tif 000002
【特許請求の範囲】
【請求項１】
巻上機の駆動によりロープを介して乗りかごを昇降動作させるエレベータ制御装置と、
このエレベータ制御装置とは独立して設けられ、上記乗りかごの運転中に上記ロープの異常箇所を検出するロープ診断装置とを備え、
上記エレベータ制御装置は、
上記乗りかごの運転中に上記ロープ診断装置から出力される信号を入力する信号入力手段と、
上記乗りかごの位置を検出するかご位置検出手段と、
上記信号入力手段を通じて上記ロープ診断装置から異常信号を入力したときに、上記かご位置検出手段によって検出された上記乗りかごの位置を異常検出位置として取得する異常検出位置取得手段と、
この異常検出位置取得手段によって得られた異常検出位置を記憶する記憶手段と
を具備したことを特徴とするエレベータのロープ診断システム。
【請求項２】
上記エレベータ制御装置は、
現在の日時を含むカレンダ情報を取得するカレンダ情報取得手段を備え、
上記カレンダ情報取得手段によって得られた異常検出位置に上記カレンダ情報取得手段によって得られたカレンダ情報を付して上記記憶手段に記憶することを特徴とする請求項１記載のエレベータのロープ診断システム。
【請求項３】
上記エレベータ制御装置の上記記憶手段に記憶された上記異常検出位置と上記カレンダ情報を当該物件のロープ診断結果として外部に送信する通信装置を備えたことを特徴とする請求項２記載のエレベータのロープ診断システム。
【請求項４】
上記通信装置は、
上記エレベータ制御装置の上記記憶手段に記憶された上記異常検出位置と上記カレンダ情報を当該物件のロープ診断結果として保守員が持つ端末装置に送信することを特徴とする請求項３記載のエレベータのロープ診断システム。
【請求項５】
上記通信装置は、
上記エレベータ制御装置の上記記憶手段に記憶された上記異常検出位置と上記カレンダ情報を当該物件のロープ診断結果として通信ネットワークを介して監視センタに送信し、
上記監視センタは、
上記ロープ診断結果を物件毎に管理する管理手段を備えていることを特徴とする請求項３記載のエレベータのロープ診断システム。
【発明の詳細な説明】
【技術分野】
【０００１】
本発明の実施形態は、乗りかごを昇降させるロープの状態を診断するためのエレベータのロープ診断システムに関する。
【背景技術】
【０００２】
エレベータの乗りかごにはワイヤーロープが用いられている。このワイヤーロープは、複数本の銅線を撚って構成されており、摩擦や疲労などにより徐々に破断していく。このため、ロープテスタを用いて定期的にロープの状態を点検する必要がある。
【０００３】
ロープ点検は、例えば機械室で巻上機に巻き架けられたロープにロープテスタを接触させた状態で、乗りかごを運転し、その運転中にロープテスタからロープの移動と共に逐次出力される波形信号をモニタ画面でチェックすることで行う。
【０００４】
ここで、例えばマーキング装置によってロープテスタの波形信号が異常な箇所に目印を付けておき、後に保守員がその目印が付けられた箇所を目視確認する方法が一般的に採られている。
【先行技術文献】
【特許文献】
【０００５】
【特許文献１】特開２００９−２４９１１７号公報
【特許文献２】特開２００２−３６２８４７号公報
【発明の概要】
【発明が解決しようとする課題】
【０００６】
しかしながら、ロープに目印を付ける方法では、専用のマーキング装置を必要とする。また、ロープに付けられた目印は運転中に摩擦などで薄れたり、他の箇所に擦れて付着することもあるため、後に保守員が異常箇所を確認しづらい。
【０００７】
本発明が解決しようとする課題は、特別な機器を必要とせずに、ロープの異常箇所を容易に確認できるエレベータのロープ診断システムを提供することである。
【課題を解決するための手段】
【０００８】
一実施形態に係るエレベータのロープ診断システムは、巻上機の駆動によりロープを介して乗りかごを昇降動作させるエレベータ制御装置と、このエレベータ制御装置とは独立して設けられ、上記乗りかごの運転中に上記ロープの異常箇所を検出するロープ診断装置とを備える。
【０００９】
上記エレベータ制御装置は、上記乗りかごの運転中に上記ロープ診断装置から出力される信号を入力する信号入力手段と、上記乗りかごの位置を検出するかご位置検出手段と、上記信号入力手段を通じて上記ロープ診断装置から上記ロープの異常箇所を示す信号を入力したときに、上記かご位置検出手段によって検出された上記乗りかごの位置を異常検出位置として取得する異常検出位置取得手段と、この異常検出位置取得手段によって得られた異常検出位置を記憶する記憶手段とを具備する。
【図面の簡単な説明】
【００１０】
【図１】図１は一実施形態に係るエレベータのロープ診断システムの構成を示す図である。
【図２】図２は同実施形態におけるエレベータ制御装置とロープ診断装置の機能構成を示すブロック図である。
【図３】図３は同実施形態におけるエレベータ制御装置に記憶されたロープ診断結果の一例を示す。
【図４】図４は同実施形態における異常検出位置を説明するための図である。
【図５】図５は同実施形態における保守員が持つ携帯端末の機能構成を示すブロック図である。
【図６】図６は同実施形態における監視センタの構成を示すブロック図である。
【図７】図７は同実施形態における監視センタに備えられた管理部の一例を示す図である。
【図８】図８は同実施形態におけるロープ点検時の動作をするためのフローチャートであり、左側がロープ診断装置の処理、右側がエレベータ制御装置の処理を示している。
【図９】図９は同実施形態における携帯端末の処理を示すフローチャートである。
【発明を実施するための形態】
【００１１】
以下、図面を参照して実施形態を説明する。
【００１２】
図１は一実施形態に係るエレベータのロープ診断システムの構成を示す図である。
【００１３】
例えばエレベータの昇降路の最上部に機械室があり、その機械室内に巻上機１１が設置されている。巻上機１１には複数本からなるロープ１３が巻き架けられており、そのロープ１３の一端に乗りかご１４が接続されている。ロープ１３の他端には、そらせシーブ１２を介してカウンタウェイト１５が接続されている。これにより、巻上機１１の回転駆動に伴い、乗りかご１４とカウンタウェイト１５がロープ１３を介してつるべ式に昇降動作する。
【００１４】
また、巻上機１１のモータ軸には、「パルスジェネレータ」と呼ばれる回転検出器１６が設けられている。回転検出器１６は、巻上機１１の回転に同期してパルス信号をエレベータ制御装置２０に出力する。エレベータ制御装置２０は、ＣＰＵ、ＲＯＭ、ＲＡＭなどを備えたコンピュータによって構成され、乗りかご１４の運転制御などを含むエレベータ全体の制御を行う。
【００１５】
ここで、エレベータ制御装置２０とは独立してロープ診断装置３０が設置されている。ロープ診断装置３０は、乗りかご１４を所定の方向に移動させながらロープ１３の異常箇所（破断箇所）を検出する。このロープ診断装置３０は、「ロープテスタ」と呼ばれる検出器３１と、この検出器３１を制御する制御器３２とで構成される。検出器３１は、ロープ１３の破断状態を磁気的に検出する。制御器３２は、検出器３１から出力される信号に基づいてロープ１３の異常の有無を判定する機能を備えている。
【００１６】
なお、エレベータ制御装置２０とロープ診断装置３０は、例えば建物の最上階にある機械室に設置されている。保守員は機械室に入り、リモコン操作によりロープ診断装置３０を起動して、ロープ１３の点検作業を行う。
【００１７】
図２はエレベータ制御装置２０とロープ診断装置３０の機能構成を示すブロック図である。
【００１８】
ロープ１３の異常検出は、ロープ１３に磁束を通して、その漏洩磁束の大きさを検出器３１で測定することで行われる。制御器３２には、波形データ取得部３３、異常判定部３４、閾値記憶部３５、信号出力部３６が備えられている。
【００１９】
波形データ取得部３３は、検出器３１で測定された漏洩磁束の波形データをＡ／Ｄ変換して取り込む。異常判定部３４は、波形データ取得部３３によって得られた波形データの値と閾値記憶部３５に記憶された閾値とを比較することで異常の有無を判定する。信号出力部３６は、異常判定部３４から判定結果として出力される信号をエレベータ制御装置２０に出力する。
【００２０】
一方、エレベータ制御装置２０には、ロープ診断装置３０の信号を取り込むための信号入力部２１が備えられている。また、このエレベータ制御装置２０には、かご位置検出部２２、異常検出位置取得部２３、カレンダ情報取得部２４、診断結果記憶部２５が備えられている。
【００２１】
かご位置検出部２２は、乗りかご１４の運転中に巻上機１１の回転に同期して回転検出器１６から逐次出力されるパルス信号をカウントし、そのカウント値に基づいて乗りかご１４の位置を検出する。異常検出位置取得部２３は、ロープ診断装置３０によってロープ１３の異常箇所（破断箇所）が検出され、その異常箇所を示す信号が信号入力部２１を通じてエレベータ制御装置２０に入力されたときに、かご位置検出部２２で検出されたかご位置を異常検出位置として取得する。
【００２２】
カレンダ情報取得部２４は、図示せぬＲＴＣ（real time clock）などを用いて現在の日時を含むカレンダ情報を取得する。診断結果記憶部２５は、異常検出位置取得部２３によって得られた異常検出位置にカレンダ情報を付して記憶する。
【００２３】
図３にエレベータ制御装置２０に記憶されたロープ診断結果の一例を示す。  
エレベータ制御装置２０の診断結果記憶部２５には、複数本のロープ１３のそれぞれについて（ロープ１，ロープ２，ロープ３…）、異常の有無，異常検出位置，カレンダ情報（点検日）を１レコードとしたロープ点検情報がロープ診断結果として記憶される。図中のＰ１，Ｐ２，Ｐ３は、ロープ１３の異常箇所が検出されたときのかご位置を示しており、例えば最上階から乗りかご１４を下方向に低速でロープ点検運転したときのパルスデータ（パルス信号のカウント値）で表される。
【００２４】
すなわち、図４に示すように、乗りかご１４が最上階に位置しているときのパルスデータが「０１００」であったとする。この状態で乗りかご１４を最上階から下方向に所定の速度で移動させ、パルスデータが「０１５０」のときに、ロープ１３の異常箇所が検出されたとする。このときのかご位置をＰ１とすると、Ｐ１＝「０１５０」が異常検出位置として取得され、カレンダ情報と共に診断結果記憶部２５に記憶される。
【００２５】
また、例えばパルスデータが「０２００」と「０３００」のときに、ロープ１３の異常箇所が検出されたとすると、Ｐ２＝「０２００」，Ｐ３＝「０３００」が異常検出位置として取得され、カレンダ情報と共に診断結果記憶部２５に記憶されることになる。
【００２６】
なお、図４の例では、ロープ点検時に乗りかご１４を最上階から下方向に運転したが、乗りかご１４を最下階から上方向に運転することでも良い。
【００２７】
診断結果記憶部２５に記憶されたロープ診断結果は、図２に示すように、保守員が持つ携帯端末４０に取り込むことができる。携帯端末４０は、保守点検に必要な機能と無線通信機能を備えている。端末装置４０は、専用の通信装置４１を介してエレベータ制御装置２０から無線通信によりロープ診断結果を取得すると共に、この取得したロープ診断結果を図示せぬ通信ネットワークを介して外部の監視センタ４２へ送信する。
【００２８】
監視センタ４２は、携帯端末４０から送られて来たロープ診断結果を物件毎に管理する。この監視センタ４２は、遠隔地に存在しており、各物件のエレベータから図示せぬ通信ネットワークを介して送られてくる各種信号（動作状態情報）を監視画面に表示するなどして遠隔監視している。
【００２９】
図５は保守員が持つ携帯端末４０の機能構成を示すブロック図である。
【００３０】
携帯端末４０には、入力部５１、表示部５２、制御部５３、記憶部５４、ＧＰＳ（Global Positioning System）モジュール５５、通信部５６などが備えられている。
【００３１】
入力部５１は、各種キーやボタンなどからなり、データの入力や指示を行う。表示部５２は、例えばＬＣＤからなり、データの表示を行う。なお、入力部５１として、例えば透明のタッチパネルを用い、表示部５２の画面上でデータ入力・指示を行う構成でも良い。
【００３２】
制御部５３は、ＣＰＵからなり、所定のプログラムの起動により保守点検作業に関わる各種機能を実行する。記憶部５４は、ＲＯＭやＲＡＭ等のメモリデバイスからなり、各種プログラムが記憶されている。また、記憶部５４には、予め携帯端末４０を所持している保守員の名前、所属などを含む保守員情報なども記憶されている。
【００３３】
ＧＰＳモジュール５５は、現在位置を検出するために用いられる。通信部５６は、外部との間でデータ通信を行う汎用のインタフェフェースであり、例えば長距離無線通信及び近接無線通信を可能とする。
【００３４】
図６は監視センタ４２の構成を示すブロック図である。
【００３５】
監視センタ４２には、Ｗｅｂサーバ６１と、複数台のＰＣ６２ａ，６２ｂ，６２ｃ…が設置されている。Ｗｅｂサーバ６１は、監視センタ４２の制御装置として存在し、通信ネットワークを介して図１に示した携帯端末４０などに接続される。
【００３６】
ＰＣ６２ａ，６２ｂ，６２ｃ…は、Ｗｅｂサーバ６１にＬＡＮ（Local Area Network）等の通信回線６３を介して接続されている。このＰＣ６２ａ，６２ｂ，６２ｃ…は、各オペレータが監視卓として使用する端末装置である。
【００３７】
ここで、Ｗｅｂサーバ６１には、携帯端末４０から送られて来たロープ診断結果を物件毎に管理するための管理部６１ａが備えられている。
【００３８】
図７に管理部６１ａの一例を示す。  
管理部６１ａには、各物件の識別番号（物件ＩＤ）と、各物件に設置されているエレベータの機種と、ロープ診断結果の情報が記憶されている。ロープ診断結果は、異常の有無，異常検出位置，カレンダ情報を含み、ロープ点検毎に順次蓄積される。
【００３９】
次に、本システムの動作について説明する。  
図８は本システムのロープ点検時の動作をするためのフローチャートであり、左側がロープ診断装置３０の処理、右側がエレベータ制御装置２０の処理を示している。
【００４０】
ロープ１３の点検は、巻上機１１に巻き架けられているロープ１３に検出器３１を接触させた状態で、例えば最上階から乗りかご１４を下方向に所定の速度でゆっくりと移動させることで行う。なお、実際にはロープ１３は複数本あるので、これらの１本１本について同様の点検を行うことになる。
【００４１】
保守員がロープ診断装置３０に付属する図示せぬリモコンを操作して診断モードを設定する（ステップＡ１１）。これにより、乗りかご１４の移動に伴ってロープ診断装置３０の検出器３１からロープ１３の漏洩磁束を示す波形データが出力され、制御器３２に取り込まれる（ステップＡ１２）。
【００４２】
制御器３２に取り込まれた波形データはＡ／Ｄ変換により数値化された後、予め異常判定の基準値として設定された閾値と比較される（ステップＡ１３）。比較の結果、波形データの値が閾値以上の箇所が検出された場合、つまり、漏洩磁束の大きさが閾値以上であった場合には（ステップＡ１３のＹｅｓ）、異常ありと判定され、ロープ診断装置３０からエレベータ制御装置２０に異常信号が出力される（ステップＡ１４）。
【００４３】
診断終了指示が制御器３２に入力されるまで、上記同様の処理が繰り返され、その間に上記閾値以上の箇所が検出されると、エレベータ制御装置２０に異常信号が出力される（ステップＡ１５）。
【００４４】
一方、エレベータ制御装置２０では、乗りかご１４の運転中に巻上機１１の回転に同期して回転検出器１６から逐次出力されるパルス信号をカウントし、そのカウント値から現在のかご位置を検出している（ステップＢ１１）。
【００４５】
ここで、ロープ診断装置３０から異常信号が出力され、エレベータ制御装置２０に入力されると（ステップＢ１２）、エレベータ制御装置２０は、そのときのかご位置を異常検出位置として取得する（ステップＢ１３）。また、エレベータ制御装置２０は、現在の日時を含むカレンダ情報を取得し（ステップＢ１４）、このカレンダ情報を上記異常検出位置に付して診断結果記憶部２５に記憶する（ステップＢ１５）。すなわち、図４で説明したように、パルスデータが「０１５０」のときに、ロープ１３の異常箇所が検出されたとすると、このときのかご位置Ｐ１＝「０１５０」が異常検出位置として取得され、カレンダ情報と共に診断結果記憶部２５に記憶されることになる。
【００４６】
このように、乗りかご１４の運転中にロープ診断装置３０から異常信号がエレベータ制御装置２０に入力されたときのタイミングで、そのときのかご位置を異常検出位置として記憶しておく。これにより、マーキング装置等の特別な装置を用いなくとも、異常検出位置として記憶されたパルスデータに基づいて乗りかご１４を移動させれば、保守員は検出器３１の設置位置でロープ１３の異常箇所（破断箇所）を目視確認することができる。
【００４７】
また、エレベータ制御装置２０に記憶された異常検出位置にはロープ異常が検出されたときのカレンダ情報が付されているので、そのカレンダ情報からロープ交換時期を推測することができる。
【００４８】
ここで、本システムでは、エレベータ制御装置２０とロープ診断装置３０とは独立しており、ロープ診断装置３０の中だけで閾値比較などを含む異常判定処理を実行し、その結果の信号だけをエレベータ制御装置２０に取り込む構成としている。したがって、エレベータ制御装置２０側では異常判定処理を行う必要はなく、単にかご位置と関連付けて異常検出位置を記憶するだけで良いので、処理負担が少なく、既存の制御装置をそのまま利用できるといった利点がある。
【００４９】
エレベータ制御装置２０に記憶されたロープ診断結果は、保守員が持つ携帯端末４０に取り込むことができ、さらに、外部の監視センタ４２へ送ることができる。このときの処理を図９に示す。
【００５０】
図９は本システムの携帯端末４０の処理を示すフローチャートである。
【００５１】
いま、エレベータ制御装置２０に専用の通信機器である通信装置４１が接続されているものとする。所定の操作により携帯端末４０と通信装置４１との間のリンクを確立し、携帯端末４０からエレベータ制御装置２０に対して任意の点検日の診断結果を要求する（ステップＣ１１）。この要求に応答して、エレベータ制御装置２０の診断結果記憶部２５から該当する点検日のロープ診断結果（異常の有無，異常検出位置，カレンダ情報）が読み出され、通信装置４１を介して携帯端末４０に送られて来る（ステップＣ１２）。
【００５２】
携帯端末４０は、エレベータ制御装置２０から送られて来たロープ診断結果を受信し、図５に示した記憶部５４に保存する（ステップＣ１３）。この場合、携帯端末４０は、エレベータ制御装置２０からロープ診断結果と共に物件情報を取得することで、当該ロープ診断結果と関連付けて記憶部５４に保存しておくものとする。上記物件情報には、当該物件の住所、エレベータの設置台数、機種などの情報が含まれる。
【００５３】
また、携帯端末４０は、このとき取得したロープ診断結果（異常の有無，異常検出位置，カレンダ情報）を物件情報と共に図示せぬ通信ネットワークを介して外部の監視センタ４２に送信する（ステップＣ１４）。これにより、監視センタ４２では、携帯端末４０から送られて来たロープ診断結果を管理部６１ａに記憶して物件毎に管理する。
【００５４】
なお、上記実施形態では、エレベータ制御装置２０に記憶されたロープ診断結果を携帯端末４０に一旦取り込んでから、監視センタ４２に送る構成としたが、エレベータ制御装置２０からロープ診断結果を通信ネットワークを介して監視センタ４２に直接送ることでも良い。
【００５５】
このように、エレベータ制御装置２０に記憶されたロープ診断結果（異常の有無，異常検出位置，カレンダ情報）を携帯端末４０に取り込むことにより、保守員は携帯端末４０の画面上でロープ診断結果を確認して適切な対応を取ることができる。さらに、携帯端末４０に取り込んだロープ診断結果を利用して点検報告書などを簡易に作成することもできる。
【００５６】
また、携帯端末４０に取り込んだロープ診断結果を監視センタ４２に送ることで、監視センタ４２では、図７に示したように各物件のロープ１３の状態を一元管理することができる。これにより、監視センタ４２側で各物件のロープ診断結果の履歴からロープ寿命を推測し、交換時期が近い物件があれば、該当する物件を管轄している保守員に知らせるなどして対処することができる。
【００５７】
以上述べた少なくとも１つの実施形態によれば、特別な機器を必要とせずに、ロープの異常箇所を容易に確認できるエレベータのロープ診断システムを提供することができる。
【００５８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１１…巻上機、１２…そらせシーブ、１３…ロープ、１４…乗りかご、１５…カウンタウェイト、１６…回転検出器、２０…エレベータ制御装置、２１…信号入力部、２２…かご位置検出部、２３…異常検出位置取得部、２４…カレンダ情報取得部、２５…診断結果記憶部、３０…ロープ診断装置、３１…検出器、３２…制御器、３３…波形データ取得部、３４…異常判定部、３５…閾値記憶部、４０…携帯端末、４１…通信装置、４２…監視センタ、５１…入力部、５２…表示部、５３…制御部、５４…記憶部、５５…ＧＰＳ、５６…通信部、６１…Ｗｅｂサーバ、６１ａ…管理部、６２ａ，６２ｂ，６２ｃ…ＰＣ。
【図１】
2017202905.tif 000003
【図２】
2017202905.tif 000004
【図３】
2017202905.tif 000005
【図４】
2017202905.tif 000006
【図５】
2017202905.tif 000007
【図６】
2017202905.tif 000008
【図７】
2017202905.tif 000009
【図８】
2017202905.tif 000010
【図９】
2017202905.tif 000011
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
巻上機の駆動によりロープを介して乗りかごを昇降動作させるエレベータ制御装置と、
このエレベータ制御装置とは独立して設けられ、上記ロープの破断状態を検出する検出器とこの検出器から出力される信号に基づいて上記ロープの異常の有無を検出する制御器とで構成されたロープ診断装置とを備え、
上記エレベータ制御装置は、
上記乗りかごの運転中に上記ロープ診断装置の上記制御器から出力される信号を入力する信号入力手段と、
上記乗りかごの位置を検出するかご位置検出手段と、
上記信号入力手段を通じて上記ロープ診断装置から異常信号を入力したときに、上記かご位置検出手段によって検出された上記乗りかごの位置を異常検出位置として取得する異常検出位置取得手段と、
この異常検出位置取得手段によって得られた異常検出位置を記憶する記憶手段と
を具備したことを特徴とするエレベータのロープ診断システム。
【請求項２】
上記エレベータ制御装置は、
現在の日時を含むカレンダ情報を取得するカレンダ情報取得手段を備え、
上記異常検出位置取得手段によって得られた異常検出位置に上記カレンダ情報取得手段によって得られたカレンダ情報を付して上記記憶手段に記憶することを特徴とする請求項１記載のエレベータのロープ診断システム。
【請求項３】
上記エレベータ制御装置の上記記憶手段に記憶された上記異常検出位置と上記カレンダ情報を当該物件のロープ診断結果として外部に送信する通信装置を備えたことを特徴とする請求項２記載のエレベータのロープ診断システム。
【請求項４】
上記通信装置は、
上記エレベータ制御装置の上記記憶手段に記憶された上記異常検出位置と上記カレンダ情報を当該物件のロープ診断結果として保守員が持つ端末装置に送信することを特徴とする請求項３記載のエレベータのロープ診断システム。
【手続補正２】
【補正対象書類名】明細書
【補正対象項目名】０００８
【補正方法】変更
【補正の内容】
【０００８】
一実施形態に係るエレベータのロープ診断システムは、巻上機の駆動によりロープを介して乗りかごを昇降動作させるエレベータ制御装置と、このエレベータ制御装置とは独立して設けられ、上記ロープの破断状態を検出する検出器とこの検出器から出力される信号に基づいて上記ロープの異常の有無を検出する制御器とで構成されたロープ診断装置とを備える。
【手続補正３】
【補正対象書類名】明細書
【補正対象項目名】０００９
【補正方法】変更
【補正の内容】
【０００９】
上記エレベータ制御装置は、上記乗りかごの運転中に上記ロープ診断装置の上記制御器から出力される信号を入力する信号入力手段と、上記乗りかごの位置を検出するかご位置検出手段と、上記信号入力手段を通じて上記ロープ診断装置から上記ロープの異常箇所を示す信号を入力したときに、上記かご位置検出手段によって検出された上記乗りかごの位置を異常検出位置として取得する異常検出位置取得手段と、この異常検出位置取得手段によって得られた異常検出位置を記憶する記憶手段とを具備する。